(57)【要約】【課題】  遊技者の疲労を軽減することができるとともに、個々の遊技者の好みに応じて振動機構の動作停止及び振動強度の調節を行うことができる遊技機用椅子を提供すること。【解決手段】  遊技中に特定の条件が成立すると遊技者にとって有利な特別遊技状態に移行する遊技機で遊技を行う際に遊技者が着座する遊技機用椅子において、遊技状態が特別遊技状態に移行したときに、遊技機が出力する起動信号に基づいて動作を開始する振動機構と、振動機構の振動強度を調節する振動調節機構と、振動強度の調節及び振動機構の動作停止を行うために遊技者が操作する操作部とを設けることとした。【選択図】図１
2007020624.tif 000002
【特許請求の範囲】
【請求項１】
遊技中に特定の条件が成立すると遊技者にとって有利な特別遊技状態に移行する遊技機で遊技を行う際に遊技者が着座する遊技機用椅子において、
遊技状態が前記特別遊技状態に移行したときに、前記遊技機が出力する起動信号に基づいて動作を開始する振動機構と、
前記振動機構の振動強度を調節する振動調節機構と、
前記振動強度の調節及び前記振動機構の動作停止を行うために遊技者が操作する操作部とを設けたことを特徴とする遊技機用椅子。
【請求項２】
前記振動調節機構は、流動体を充填及び排出可能に構成した袋体を、着座した遊技者の身体と前記振動機構との間に配設し、前記流動体の充填量及び排出量を調節することによって前記振動強度を調節可能に構成したことを特徴とする請求項１に記載の遊技機用椅子。
【請求項３】
前記袋体を複数枚重合させて設けると共に、前記袋体への前記流動体の充填及び前記袋体からの前記流動体の排出を行う給排ポンプを設け、
流動体を充填させた袋体の枚数により前記振動強度を調整することを特徴とする請求項１又は請求項２に記載の遊技機用椅子。
【請求項４】
遊技者が着座する座部と、遊技者の背中を支持する背もたれ部とを有し、
前記背もたれ部内に前記振動機構を設けると共に、
前記背もたれ部の表装部と前記振動機構との間に、前記袋体を前記背もたれ部の厚さ方向に複数枚重合させて設け、
さらに、前記座部の下方位置に前記流動体を貯留する貯留タンクと、前記給排ポンプとを設けたことを特徴とする請求項１〜３のいずれか１項に記載の遊技機用椅子。
【発明の詳細な説明】
【技術分野】
【０００１】
本発明は、パチンコ遊技機やパチスロ遊技機などの遊技機用椅子に関するものであり、特に、遊技者の疲労を軽減可能な遊技機用椅子に関するものである。
【背景技術】
【０００２】
パチンコ遊技機やパチスロ遊技機を設置している遊技場には、各遊技機毎に遊技者が着座して遊技を行うための遊技機用椅子を設けている。
【０００３】
この遊技機用椅子は、通常、遊技者が着座するための機能だけしか備えておらず比較的簡易な構造の物であった。
【０００４】
そのため、同じ姿勢で長時間遊技を行う遊技者にとっては座り心地が十分ではなく、遊技時間が長時間化するにつれて疲労が溜まり、遊技に集中することができなくなるといった問題があった。
【０００５】
そのため、近年、マッサージ機能を備えた遊技機用椅子が考案されている（例えば、特許文献１参照。）。
【０００６】
この遊技機用椅子は、内部に振動機構を内蔵しており、所定の遊技プログラムに従い遊技の進行状況に応じて振動機構を動作させ、着座している遊技者の身体をマッサージすることにより遊技者の疲労を軽減するように構成されている。
【特許文献１】国際公開第９４／００２０６号パンフレット
【発明の開示】
【発明が解決しようとする課題】
【０００７】
ところが、上記従来の遊技機用椅子は、所定のプログラムに従い遊技の進行状況に応じて振動機構を動作させていたため、以下のような問題が生じるおそれがある。
【０００８】
すなわち、遊技者には、始動機構による振動を好む遊技者と好まない遊技者とが存在するが、上記の遊技機用椅子では、振動機構による振動を好まない遊技者に対しても振動機構を動作させてしまうといった問題が生じる。
【０００９】
また、振動機構による振動を好む遊技者であっても、振動の強弱に対する好みは様々であるため、個々の遊技者の好みを満たす遊技機用椅子を提供することは困難であった。
【課題を解決するための手段】
【００１０】
そこで、請求項１に係る本発明では、遊技中に特定の条件が成立すると遊技者にとって有利な特別遊技状態に移行する遊技機で遊技を行う際に遊技者が着座する遊技機用椅子において、遊技状態が特別遊技状態に移行したときに、遊技機が出力する起動信号に基づいて動作を開始する振動機構と、振動機構の振動強度を調節する振動調節機構と、振動強度の調節及び振動機構の動作停止を行うために遊技者が操作する操作部とを設けることとした。
【００１１】
また、請求項２に係る本発明では、請求項１に記載の遊技機用椅子において、振動調節機構は、流動体を充填及び排出可能に構成した袋体を、着座した遊技者の身体と振動機構との間に配設し、流動体の充填量及び排出量を調節することによって振動強度を調節可能に構成したことを特徴とする。
【００１２】
また、請求項３に係る本発明では、請求項１又は請求項２に記載の遊技機用椅子において、袋体を複数枚重合させて設けると共に、袋体への流動体の充填及び袋体からの流動体の排出を行う給排ポンプを設け、流動体を充填させた袋体の枚数により振動強度を調整することを特徴とする。
【００１３】
また、請求項４に係る本発明では、請求項１〜３のいずれか１項に記載の遊技機用椅子において、遊技者が着座する座部と、遊技者の背中を支持する背もたれ部とを有し、背もたれ部内に振動機構を設けると共に、背もたれ部の表装部と振動機構との間に、袋体を背もたれ部の厚さ方向に複数枚重合させて設け、さらに、座部の下方位置に流動体を貯留する貯留タンクと、給排ポンプとを設けたことを特徴とする。
【発明の効果】
【００１４】
本発明に係る遊技機用椅子は、遊技中に遊技者にとって有利な特別遊技状態に移行したときに振動機構の動作を開始させ、その振動により遊技者の疲労を軽減することができる。
【００１５】
しかも、振動機構による振動を好まない場合に遊技者は、操作部を操作することにより振動機構の動作を停止させることができ、振動機構による振動の強弱を変更したい遊技者は、操作部を操作することにより、振動機構による振動の強度を自由に調節することができるため、個々の遊技者の好みを満たすことができる遊技機用椅子を提供することができる。
【発明を実施するための最良の形態】
【００１６】
本発明に係る遊技機用椅子は、遊技中に特定の条件が成立すると遊技者にとって有利な特別遊技状態に移行する遊技機で遊技を行う際に遊技者が着座するものであり、遊技場に複数設置される各遊技機毎にそれぞれ対応して設けられるものである。
【００１７】
特に、この遊技機用椅子は、当該遊技機用椅子に対応している遊技機の遊技状態が特別遊技状態に移行したときに、その遊技機が出力する起動信号に基づいて動作を開始する振動機構と、振動機構による振動の体感強度（以下「振動強度」という。）を調節する振動調節機構と、振動強度の調節及び振動機構の動作停止を行うために遊技者が操作する操作部とを有している。
【００１８】
そのため、この遊技機用椅子は、遊技状態が特別遊技状態へ移行する度に、振動機構の振動によって遊技者の身体をマッサージして、遊技者の疲労を軽減することができる。
【００１９】
また、この遊技機用椅子は、遊技者が操作手段を操作するだけで、振動強度をその遊技者の好みに合わせて自由に調整することができ、さらに、遊技者がマッサージを必要としない場合には、同じく操作手段を操作するだけで、振動機構の動作を任意のタイミングで停止させることができるので、マッサージに関する個々の遊技者の好みを満たすことができる。
【００２０】
しかも、振動機構は、遊技状態が特別遊技状態に移行しなければ動作を開始しないため、遊技を行わない遊技者がマッサージだけを目的に遊技機用椅子に着座し、その遊技機用椅子に対応した遊技機を占領するといった問題が生じることが無い。
【００２１】
また、この遊技機用椅子が備える振動調節機構は、液体や気体若しくは固体（ゲル状の物質）などの流動体を充填及び排出可能に構成した弾性素材からなる袋体を、着座した遊技者の身体と振動機構との間に配設し、流動体の充填量及び排出量を調節することによって振動強度を調節可能に構成している。
【００２２】
このように、遊技者の身体と振動機構との間に、弾性素材からなる袋体に充填した流動体を介在させたことによって、遊技者へウォーターベッドに着座しているかのような感覚を与えることができ、座り心地に高級感を持たせた遊技機用椅子とすることができる。
【００２３】
しかも、この振動調節機構は、振動機構の動作自体を調節するのではなく、振動機構と遊技者の身体との間に介在させる流動体の量により振動強度を調節するように構成したため、振動強度の変化が滑らかになり、遊技者により好適なマッサージを行うことができる。
【００２４】
また、この振動調節機構は、袋体を複数枚重合させて設けると共に、各袋体への流動体の充填及び各袋体からの流動体の排出を行う給排ポンプを設け、流動体を充填させた袋体の枚数により振動強度を調整するように構成している。
【００２５】
すなわち、この遊技機用椅子では、流動体を充填した袋体の枚数が少ないほど、振動機構と着座した遊技者の身体との間隔が狭くなるため振動強度が強くなり、流動体を充填した袋体の枚数が多いほど、振動機構と着座した遊技者の身体との間隔が拡がり振動強度が弱くなるように構成している。
【００２６】
そのため遊技者は、比較的強い振動強度のマッサージを体感したい場合に、操作部を操作して給排ポンプを動作させることにより、袋体から流動体を排出させて流動体を充填した袋体の枚数を減少させればよく、こうすることにより多少座り心地は低下するが、振動機構による振動をより直接的に体感することができる。
【００２７】
一方、遊技者は、比較的弱い振動強度のマッサージを体感したい場合に、操作部を操作して給排ポンプを動作させることにより、袋体へ流動体を充填させて流動体を充填した袋体の枚数を増加させればよく、こうすることにより振動機構による振動が弱まり、しかも、座り心地が向上する。
【００２８】
そして、この遊技機用椅子は、遊技者が着座する座部と、遊技者の背中を支持する背もたれ部とを有しており、背もたれ部内に振動機構を設けると共に、背もたれ部の表装部と振動機構との間に、袋体を背もたれ部の厚さ方向に複数枚重合させて設け、さらに、座部の下方位置に流動体を貯留する貯留タンクと、給排ポンプとを設けるようにしている。
【００２９】
これにより、この遊技機用椅子は、遊技中に最も疲労が蓄積しやすい遊技者の腰や背中を効果的にマッサージすることができ、しかも、貯留タンクや給排ポンプなどを遊技の妨げとならない位置に収容することができる。
【００３０】
また、この遊技機用椅子は、着座した遊技者の肘を支持するための肘掛部を備えており、この肘掛部に操作部を設けるようにしている。
【００３１】
そのため、遊技者は、肘掛部に肘や腕をのせた楽な姿勢で遊技を楽しみながら、指先を動かすだけで振動機構の動作停止や振動強度の調節を行うことができるので、遊技中の疲労の蓄積を最小限に抑えることができる。
【００３２】
また、振動機構及び振動調節機構は、遊技機用椅子の背もたれ部以外の位置に設けることもでき、例えば、遊技機用椅子の座部や肘掛部の内部に振動機構及び振動調節機構を設けることができる他、座部に遊技者のふくらはぎを支持するフットレストを設け、このフットレストの内部に振動機構及び振動調節機構を設けることもできる。
【００３３】
このように遊技機用椅子の様々な位置に振動機構及び振動調節機構を設けることにより、腕や太もも、ふくらはぎなど、遊技者の身体のあらゆる部分をマッサージすることができるようになり、遊技者は、蓄積している疲労が効果的に軽減され、長時間の遊技を快適に楽しむことができる。
【００３４】
以下、本発明に係る遊技機用椅子の一実施形態について、図面を参照して具体的に説明する。なお、以下の説明では、実際のパチンコ球を用いる実機である第１種パチンコ機（以下、「遊技機」という。）による遊技を行う際に、遊技者が着座する遊技機用椅子を例に挙げて説明を行う。
【００３５】
ここで、図１は、遊技場に設置された遊技機用椅子を示す概観斜視図であり、この図1に示すように、遊技機用椅子１は、遊技場に設置されている各遊技機１０とそれぞれ対向する位置に設置され、遊技者３が遊技を行う際に着座するためのものである。
【００３６】
そして、この遊技機用椅子１は、遊技機１０の遊技状態が遊技者３にとって有利な特別遊技状態に移行したときに、後述する振動機構１５１を動作させて遊技者３の腰及び背中を刺激することにより遊技者３の疲労を軽減するように構成している。
【００３７】
[遊技機用椅子の構成]
図２は、遊技機用椅子１の構成を示す断面であり、この図２に示すように、遊技機用椅子１は、ケーブル４を介して遊技機１０と接続されており、座部５と、背もたれ部６と、肘掛部７と、脚部８とにより構成している。
【００３８】
座部５は、遊技者３が着座したときに、遊技者３の臀部を支持する部分であり、内部に弾力性のある部材、若しくは複数個のスプリングにより構成したマットレス（図示略。）を配設し、このマットレスの表面を人工皮革製などにより構成したシートにより被覆している。
【００３９】
なお、マットレスを構成する部材や、このマットレスの表面を被覆するシートの材料は、本実施形態に記載したものに限定されるものではなく、座り心地を低下させるものでなければ任意の部材や材料を用いることができる。
【００４０】
背もたれ部６は、遊技者３が着座したときに遊技者３の腰及び背中を支持する部分であり、内部に遊技者の腰及び背中を刺激する振動機構１５１と、この振動機構１５１による振動の強弱（以下、「振動強度」という。）を調節する振動調節機構１５２の一部を構成する３枚の袋体１５３とを備え、これら振動機構１５１及び袋体１５３は、座部を被覆するシートと同様のシートにより被覆されている。
【００４１】
この背もたれ部６内部に設ける振動機構１５１は、商用電源（図示略。）から供給される電力により駆動するモータの回転を利用した電動バイブレータであり、背もたれ部６の背面側略全面に配設されるものである。なお、この振動機構１５１は、本実施形態に記載した電動バイブレータに限定されるものではなく、音波や超音波などを用いて所定周波数の振動を発生させ、遊技者の身体に適度な刺激を与えるものであれば任意の振動機構１５１を用いて構成することができる。
【００４２】
そして、袋体１５３は、適度な弾性を有するゴムにより形成され、背もたれ部６の背当て面６a（着座したときに、遊技者３の腰及び背中が当接する面。）と略同一面積で略矩形状の扁平な袋状のものであり、内部に流動体を充填することにより所定の厚さ（例えば５cm）となるように構成したものである。なお、袋体１５３を構成する材質は、本実施形態に記載したものに限定されるものではなく、内部に流動体を充填した際に所定の弾力を生じるものであれば任意の材質のものを用いることができる。
【００４３】
そして、この袋体１５３を、振動機構１５１と背もたれ部６の背当て面６aとの間に、袋体１５３の厚さ方向に３枚重合させて配設することによりクッション部を構成している。
【００４４】
これにより、３枚全ての袋体１５３に流動体を充填したときのクッション部の厚さは、略１５cmとなり、２枚の袋体１５３に流動体を充填したときのクッション部の厚さは、略１０cmとなり、１枚の袋体１５３だけに流動体を充填したときのクッション部の厚さは、略５cmとなる。
【００４５】
このように、３枚の各袋体１５３について、流動体の充填又は排出を個別に行うことによって振動機構１５１と背もたれ部６の背当て面６aとの間に介在させる流動体の量を調節して、遊技者３の腰及び背中と振動機構１５１との間隔を調節することにより振動強度を変更可能に構成している。
【００４６】
また、本実施形態では、振動強度を「強」「中」「弱」の３段階に調節できるように構成しており、３枚全ての袋体１５３に流動体を充填して振動機構１５１を動作させた状態を「弱」とし、２枚の袋体１５３に流動体を充填して振動機構１５１を動作させた状態を「中」とし、１枚の袋体１５３にだけ流動体を充填して振動機構１５１を動作させた状態を「強」とするようにしている。
【００４７】
そのため、振動強度が「強」の状態であっても、１枚の袋体１５３には流動体が充填されているため、一定の座り心地を保ちながら比較的強いマッサージを行うことができる。
【００４８】
肘掛部７は、遊技者３が着座したときに遊技者３の両腕や両肘などを支持する部分であり、座部５の両側位置、若しくは、背もたれ部６の両側下方位置に各１個ずつ設けるものである。なお、この肘掛部７の表面についても、座部を被覆するシートと同様のシートにて被覆するようにしている。
【００４９】
そして、この一対の肘掛部７のうち遊技者３の左腕を支持する側の肘掛部７に、振動機構１５１の動作停止及び、振動強度の調節を行うために遊技者３が操作する操作部１５４を設けている。
【００５０】
図３は、操作部１５４を示す平面図であり、この図３に示すように、操作部１５４は、肘掛部７の上面の先端部近傍に振動強度を調節するための強スイッチ１５４aと、中スイッチ１５４bと、弱スイッチ１５４cと、振動機構１５１の動作を停止させるためのＯＦＦスイッチ１５４dとを設けている。
【００５１】
そして、遊技者３は、遊技状態が特別遊技状態に移行し、振動機構１５１が動作を開始した場合に、強スイッチ１５４a、中スイッチ１５４b、弱スイッチ１５４cのうちのいずれか１個のスイッチを押圧操作することにより、好みの振動強度でのマッサージを受けることができ、マッサージが必要でない場合には、ＯＦＦスイッチを押圧操作することにより、任意のタイミングで振動機構１５１の動作を停止させることができる。
【００５２】
しかも、上記のように操作部１５４を左側の肘掛部７の上面先端部近傍に設けたことにより、遊技者３は、右手で遊技機１０のハンドル２６を握って遊技を行いながら、左手で操作部１５４を操作することができるので、遊技を妨げることなくこの遊技機用椅子１の機能を操作することができる。なお、操作部１５４は、遊技者３の右腕を支持する側の肘掛部７に設けてもよく、一対の肘掛部７の両方に設けてもよい。
【００５３】
脚部８は、座部５の下側から座部５及び背もたれ部６を支持する部分であり、周囲を上記座部５を被覆したシートと同様のシートにより被覆したカバー体８aにより囲み、上部を座部５により閉塞することによって、内部に収容空間を形成している。
【００５４】
そして、この収容空間内に、袋体１５３へ充填するための流動体及び袋体１５３から排出される流動体を貯留するための貯留タンク１５５と、この貯留タンク１５５に貯留している流動体を袋体１５３に充填し、袋体１５３に充填した流動体を貯留タンク１５５へ排出する給排ポンプ１５６とを備えている。
【００５５】
また、給排ポンプ１５６と貯留タンク１５５及び配給ポンプ１５６と袋体１５３との間は連結管１５７により連結するようにしており、この連結管１５７を介して、貯留タンク１５５と袋体１５３との間で流動体を移動させるようにしている。
【００５６】
特に、給排ポンプ１５６と各袋体１５３との間を連結する連結管１５７は、給排ポンプ１５６から各袋体１５３へ向かう中途部で３本に分岐しており、その分岐点と各袋体１５３との間に開閉自在の電磁弁１５８を設けている。
【００５７】
そして、遊技者３による操作部１５４の操作に基づいて、これら電磁弁１５８及び給排ポンプ１５６を動作させることにより、袋体１５３への流動体の充填及び袋体１５３からの流動体の排出を行うように構成している。
【００５８】
次に、このように構成した遊技機用椅子１の動作について説明する。
【００５９】
[遊技機用椅子の動作]
図４は、遊技機用椅子１の内部を示す機能ブロック図であり、この図４に示すように遊技機用椅子１の操作部１５４は、遊技機１０とケーブル４により電気的に接続されており、振動機構１５１と、給排ポンプ１５６と、各電磁弁１５８とは配線により電気的に接続されている。
【００６０】
なお、以下の説明では、袋体１５３について、最も振動機構１５１側に配置した袋体１５３を第１袋体１５３a、最も背当て面６a側に配置した袋体１５３を第３袋体１５３c、第１袋体１５３aと第３袋体１５３cとの間に配置した袋体１５３を第２袋体１５３bと称することとし、第１袋体１５３aに連結している連結管に設けた電磁弁１５８を第１電磁弁１５８a、第２袋体１５３bに連結している連結管に設けた電磁弁１５８を第１電磁弁１５８b、第３袋体１５３cに連結している連結管に設けた電磁弁１５８を第１電磁弁１５８ｃと称することとする。
【００６１】
この遊技機用椅子１は、遊技者３が後に詳述する遊技機１で通常の遊技（通常遊技状態での遊技）を行っている間、初期状態として、第１〜３袋体１５３a〜cの内部には流動体が充填されておらず空の状態となっている。
【００６２】
そして、遊技状態が通常遊技状態から遊技者３にとって有利な特別遊技状態に移行したときに、遊技機１０が遊技機用椅子１の振動機構１５１に動作を開始させるための駆動信号Sig1を出力する。
【００６３】
この駆動信号Sig1は、ケーブルを介して遊技機用椅子１の操作部１５４に入力される。
【００６４】
この駆動信号Sig1が入力されると操作部１５４は、第１電磁弁１５８aに第１開放信号Sig3を、第２電磁弁１５８bに第２開放信号Sig4を、第３電磁弁に第３開放信号Sig5をそれぞれ同時に入力することにより、第１電磁弁１５８a、第２電磁弁１５８b、第３電磁弁１５８cを同時に開放する。
【００６５】
次に操作部１５４は、給排ポンプ１５６に流動体供給を指示するためのポンプ用信号Sig6を入力して貯留タンク１５５から第１袋体１５３a、第２袋体１５３b、第３袋体１５３cへ流動体を充填する。
【００６６】
その後、第１袋体１５３a、第２袋体１５３b、第３袋体１５３cの全てが流動体で満たされ、給排ポンプ１５６の供給圧力で流動体の充填ができない状態になると第１電磁弁１５８a、第２電磁弁１５８b、第３電磁弁１５８cがそれぞれ自動的に閉塞する。
【００６７】
次に操作部１５４は、駆動機構１５１に動作を開始させるための駆動制御信号Sig2を入力する。この駆動制御信号Sig2が入力されると、駆動機構１５１は動作を開始して所定強度の振動を発生させ、その振動により遊技者３の腰及び背中をマッサージする。
【００６８】
なお、このとき、遊技機用椅子１は、第１〜３袋体１５８a〜cの全てに流動体が充填されている状態であり、振動強度が「弱」の状態である。
【００６９】
このように、本実施形態の遊技機用椅子１は、遊技機１０における遊技状態が特別遊技状態に移行したことを条件として、第１〜３袋体１５８a〜cの全てに流動体を充填することにより椅子としての座り心地を向上させ、遊技者３に優越感を与え、しかも、駆動機構１５１を動作させて遊技者３の腰及び背中をマッサージすることにより、遊技者３の疲労を軽減して長時間の遊技を快適に行わせることができる。
【００７０】
また、このとき、遊技者３がより振動強度の強いマッサージを望む場合には、図３に示す操作部１５４の中スイッチ１５４bを押圧するだけで、振動強度を「弱」から「中」へ変更することができる。
【００７１】
このとき操作部１５４は、遊技者３により中スイッチ１５４bが押圧操作されると、第３電磁弁１５８cに第３開放信号Sig5を入力することによって第３電磁弁１５８cを開放状態にすると共に、給排ポンプ１５６に流動体排出を指示するためのポンプ用信号Sig6を入力して、第３袋体１５３cから貯留タンク１５５へ流動体を排出させる。
【００７２】
このように、第３袋体１５３c内の流動体だけを排出させることにより、背当て面６aと振動機構１５１との間隔を、流動体が充填された第３袋体１５３cの厚みの分だけ狭くすることにより、遊技者３に与える振動強度が「中」となるように振動強度を変更することができる。
【００７３】
このとき、遊技者３がさらに振動強度の強いマッサージを望む場合には、図３に示す操作部１５４の強スイッチ１５４aを押圧するだけで、振動強度を「中」から「強」へ変更することができる。
【００７４】
このとき操作部１５４は、遊技者３により強スイッチ１５４aが押圧操作されると、第２電磁弁１５８bに第２開放信号Sig4を入力することによって第２電磁弁１５８bを開放状態にすると共に、給排ポンプ１５６に流動体排出を指示するためのポンプ用信号Sig6を入力して、第２袋体１５３bから貯留タンク１５５へ流動体を排出させる。
【００７５】
このように、第３袋体１５３cに続いて第２袋体１５３b内の流動体を排出させることにより、背当て面６aと振動機構１５１との間隔を、さらに流動体が充填された第２袋体１５３bの厚みの分だけ狭くすることにより、遊技者３に与える振動強度が「強」となるように振動強度を変更することができる。
【００７６】
このように、第３袋体１５８cと第２袋体１５８bとの内部に充填した流動体を排出することによって、遊技者３は、自分の好みに合った振動強度でのマッサージを体感することができる。
【００７７】
しかも、一旦振動強度を「強」にした場合であっても、遊技状態が特別遊技状態である間であれば、操作部１５４を操作することによって任意のタイミングで振動強度を変更することもできる。
【００７８】
また、遊技状態が特別遊技状態へ移行したとき、又は、振動機構１５１の動作中に、遊技者３がマッサージを必要と無い場合には、図３に示す操作部のＯＦＦスイッチ１５４dを押圧操作するだけで、振動機構１５１の動作を停止させることができる。
【００７９】
このとき操作部１５４は、遊技者３によりＯＦＦスイッチ１５４dが押圧操作されると、振動機構１５１に動作を停止させるための駆動制御信号Sig2を入力して動作を停止させ、マッサージを停止させる。
【００８０】
このように、この遊技機用椅子は、特別遊技状態の最中であっても、任意のタイミングでマッサージを停止させることができるので、遊技者の好みに対応した遊技機用椅子とすることができる。
【００８１】
その後、遊技状態が特別遊技状態から通常遊技状態へ移行すると、遊技機１０が遊技機用椅子１の振動機構１５１に動作を停止させるための駆動信号Sig1を出力する。
【００８２】
この駆動信号Sig1は、ケーブルを介して遊技機用椅子１の操作部１５４に入力される。
【００８３】
この駆動信号Sig1が入力されると操作部１５４は、振動機構１５１に動作を停止させるための駆動制御信号Sig2を入力して動作を停止させ、マッサージを停止させる。
【００８４】
このように、この遊技機用椅子１は、遊技状態が特別遊技状態である期間、若しくは、特別遊技状態の開始から遊技者３が操作部１５４のＯＦＦスイッチ１５４dを押圧操作するまでの期間に限り、遊技者に対してマッサージを行うことができるため、遊技を行わずマッサージだけを目的とした遊技者３がこの遊技機用椅子１に着座して、長時間遊技機１０を占領するといった問題の発生を防止することができる。
【００８５】
なお、本実施形態に記載した振動強度を変更する際の流動体の排出順序は、単なる一例に過ぎず、任意に変更することが可能であり、例えば、振動強度を「弱」の状態から「中」の状態へ変更する場合に、第２袋体１５３b内の流動体を排出させるように設定することも可能である。
【００８６】
また、本実施形態では、振動機構１５１が動作を開始したときの振動強度が「弱」となるように設定を行っているが、これも一例であり、振動機構１５１が動作を開始したときの振動強度が「強」となるように設定しておくことも可能である。
【００８７】
[遊技機の説明]
ここで、この遊技機用椅子１に着座した遊技者３が遊技する遊技機１０について説明する。
【００８８】
図５は、本実施形態の遊技機用椅子１に着座した遊技者３が遊技する遊技機１０を示す斜視図である。
【００８９】
図５に示すように、遊技機１０は、ガラスドア１１、木枠１２、ベースドア１３、遊技盤１４、皿ユニット２１、画像を表示する液晶表示装置５８c、遊技球を発射する発射装置１３０などから構成されており、前記ガラスドア１１は、その中央に開口１１ａが形成され、この開口１１ａに透過性を有する保護ガラス１９が配設され、前記ベースドア１３に対して開閉自在に軸着されている。また、ガラスドア１１の前記開口１１ａの下方位置にはコントロールパネル８０が配設されており、このコントロールパネル８０には、遊技球の貸し出し用操作部８２、メニュー画面表示、メニュー選択、決定、取り消しなどのメニュー操作部８４、遊技の進行に関する操作などのゲーム操作部８８などが設けられている。
【００９０】
前記皿ユニット２１は、ガラスドア１１の下方に位置するように、前記ベースドア１３に取付けられており、この皿ユニット２１は、その上部に上皿２０を、下部には下皿２２を備えている。
【００９１】
上皿２０及び下皿２２には、遊技球の貸し出し、遊技球の払出し（賞球）を行うための払出口２０ａ、２２ａが形成されており、所定の払出条件が成立した場合には、遊技球が排出されることとなる。また、前記上皿２０には、後述する遊技領域１５に発射させるための遊技球を貯留することができる。
【００９２】
発射装置１３０は、前記皿ユニット２１の側方に位置するように、ベースドア１３に配設されており、この発射装置１３０には、遊技者によって操作可能な発射ハンドル２６が回動自在に配設されている。この発射ハンドル２６を遊技者が時計回り方向へ回動操作することにより、その回動角度に応じて前記弾球装置に電力が供給され、上皿２０に貯留された遊技球が遊技盤１４に順次発射されパチンコ遊技は進められる。
【００９３】
遊遊技盤１４は、前記ガラスドア１１における保護ガラス１９の後方に位置し、かつ前記ベースドア１３の前方に配設されている。
【００９４】
本実施形態における遊技盤１４は、その全部が透過性を有する板形状の樹脂によって形成されている。
【００９５】
遊技盤１４は、その前面に、発射された遊技球が転動流下する遊技領域１５を有している。この遊技領域１５は、ガイドレール３０などに囲まれ、遊技球が転動可能な領域である。また、遊技盤１４における遊技領域１５には複数の障害釘（図示せず）が設けられており、前記発射装置１３０によって発射された遊技球は、遊技盤１４上に設けられたガイドレール３０に案内されて遊技盤１４の上部に移動し、その後、上記複数の障害釘との衝突によりその進行方向を変えながら遊技盤１４の下方に向かって流下するのである。なお、図５に示す符号４６Ｌ、４６Ｒは、遊技中に演出用の音声を出音するスピーカである。
【００９６】
また、この透明な遊技盤１４の前面中央には、前方に向かって凸形状である屋根部材５８ａ、ステージ部材５８ｂが設けられており、液晶表示装置５８ｃによりこの屋根部材５８ａとステージ部材５８ｂとの間で識別情報の可変表示を実行して可変表示ゲームを行うようにしている。
【００９７】
この遊技盤１４の前面中央には、始動口４４、シャッタ４０などが設けられ、前記始動口４４に遊技球が入球したことを条件として、液晶表示装置５８ｃにより識別情報の可変表示が実行されることになり、この識別情報の可変表示の結果に応じて、通常遊技状態よりも遊技者に相対的に有利な特別遊技状態（大当たり遊技状態、所謂「大当り」）となる。
【００９８】
この特別遊技状態では、遊技盤１４上に設けたシャッタ４０が所定時間、所定回数開放状態となって入賞口として機能する。
【００９９】
そして、遊技者３は、入賞口として機能している開放状態のシャッタ４０内に遊技球を入球させることにより、賞球としてより多くの遊技球を獲得できる。
【０１００】
また、この遊技機１０で行う可変表示ゲームの「大当たり」及び「はずれ」は、遊技機１０内部に設けた制御回路６０（図２及び図４参照。）が行う抽選により決定されるものであり、この制御回路６０は、始動口４４に遊技球が入球したタイミングで抽選を行う。
【０１０１】
そして、液晶表示装置５８cは、この抽選の結果に応じて、複数の図柄列（例えば３列）に対応する識別情報（図柄）を可変表示させた後、停止表示させる。
【０１０２】
このとき、制御回路６０が行った抽選の結果が大当たりであった場合には、複数の図柄が特定の組み合わせで（例えば、複数の図柄列のそれぞれに“１”から“１２”のいずれかが全て揃った状態で導出表示される態様、所謂「大当り表示態様」）停止表示され、遊技状態が遊技者３に有利な特別遊技状態（所謂「大当り」）に移行することとなる。
【０１０３】
このように、遊技状態が特別遊技状態に移行したとき、すなわち、複数の図柄が特定の組み合わせで停止表示されたときに、遊技機１０の制御回路６０は、遊技機用椅子１に対して振動機構１５１の動作を開始させるための駆動信号Sig1を出力するようにしている。
【０１０４】
また、制御回路６０は、特別遊技状態が終了したとき、すなわち、シャッタ４０が予め設定された回数開放状態となった後、再び閉塞状態となったときに、遊技機用椅子１に対して振動機構１５１の動作を停止させるための駆動信号Sig1を出力するようにしている。
【０１０５】
上述してきた本実施形態に係る遊技機用椅子１は、この遊技機用椅子１に対応して設置されている遊技機１０での遊技中に、遊技者３にとって有利な特別遊技状態に移行したことを条件として振動機構１５１の動作を開始させ、その振動によるマッサージで遊技者の疲労を軽減することができるように構成している。
【０１０６】
しかも、振動機構１５１による振動を好まない場合に遊技者３は、操作部１５４を操作することにより振動機構１５１の動作を停止させることができ、振動機構１５１による振動の強弱を変更したい遊技者３は、操作部１５４を操作することにより、振動機構１５１による振動の強度を自由に調節することができるため、個々の遊技者３のマッサージに対する好みを満たすことができる。
【０１０７】
また、上記実施形態では、通常遊技状態において第1袋体１５３a、第1袋体１５３b、第1袋体１５３bは、流動体を排出した状態としているが、予め第1袋体１５３a、第1袋体１５３b、第1袋体１５３bに流動体を充填した状態としておいてもよい。
【０１０８】
また、背もたれ部６内に設ける袋体１５３の数に関しても３枚に限定するものではなく、適宜変更することができる。
【０１０９】
また、本実施形態の遊技機用椅子１は、遊技機１０から入力される駆動信号Sig1に基づいて振動機構１５１が動作を開始するものであるため、遊技機１０から駆動信号Sig1が入力される任意のタイミングでマッサージの開始及び停止を行うことができる。
【０１１０】
たとえば、遊技機１０が遊技時間を計測可能なタイマを備えている場合に、この遊技機用椅子１は、遊技者３による継続遊技時間が所定時間を越える毎に、一定時間マッサージを行うことができる。
【０１１１】
この場合、遊技機１０は、遊技者３が継続して遊技した時間をタイマにより計測し、制御回路６０が所定時間以上継続して遊技が行われたことを検出したときに、遊技機用椅子1へ振動機構１５１の動作を開始させるための駆動信号Sig1を出力してマッサージを開始させ、マッサージを開始させてから所定時間が経過した後に、遊技機用椅子１へ振動機構１５１の動作を停止させるための駆動信号Sig１を出力すればよい。
【０１１２】
こうすることにより、長時間継続して遊技を行う遊技者３は、特別遊技状態に移行しない場合であっても、継続して遊技を行っていれば定期的にマッサージを受けることができ、遊技中の疲労が効果的に軽減される。
【０１１３】
また、上記実施形態では、遊技機１０と遊技機用椅子１とをケーブル４により電気的に接続しているが、遊技機１０側に無線送信器を設け、遊技機用椅子１側に無線受信器を設けることにより、遊技機１０から遊技機用椅子１へ駆動信号Sig1を無線信号として送信することも可能である。
【０１１４】
また、上記実施形態では、実際のパチンコ球を用いるパチンコ遊技機による遊技を行う際に、遊技者が着座する遊技機用椅子１を例に挙げて説明を行ったが、本発明はこれに限定されるものではなく、通常遊技状態と遊技者３にとって有利な特別遊技状態といった複数の遊技状態での遊技が可能な遊技機であれば、任意の遊技機に対応して設置することができ、例えば、遊技媒体としてコインを用い、回転しているリールを所定のタイミングで停止させることにより特定の図柄を特定の組み合わせで停止表示させるようなパチスロ遊技機の他、各種ビデオゲームにも対応して設置することができる。
【０１１５】
以上、本発明の実施形態を説明したが、具体例を例示したに過ぎず、特に本発明を限定するものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【０１１６】
【図１】本実施形態に係る遊技機用椅子を示す概観斜視図である。
【図２】本実施形態に係る遊技機用椅子を示す断面図である。
【図３】遊技機用椅子の操作部を示す平面図である。
【図４】本実施形態に係る遊技機用椅子を示す機能ブロック図である。
【図５】遊技機を示す斜視図である。
【符号の説明】
【０１１７】
１  遊技機用椅子
１０  遊技機
３  遊技者
４  ケーブル
５  座部
６  背もたれ部
６a 背当て面
７  肘掛部
８  脚部
１５１  振動機構
１５２  振動調節機構
１５３  袋体
１５３a 第１袋体
１５３b 第２袋体
１５３c 第３袋体
１５４  操作部
１５４a 強スイッチ
１５４b 中スイッチ
１５４c 弱スイッチ
１５４d ＯＦＦスイッチ
１５５  貯留タンク
１５６  給排ポンプ
１５７  連結管
１５８  電磁弁
１５８a 第１電磁弁
１５８b 第２電磁弁
１５８c 第３電磁弁
【図１】
2007020624.tif 000003
【図２】
2007020624.tif 000004
【図３】
2007020624.tif 000005
【図４】
2007020624.tif 000006
【図５】
2007020624.tif 000007